(57)【特許請求の範囲】
【請求項１】
振分けシュートの分岐部に基端部が回動自在に支持され先端部がシュートの開口部を横断すべく延出された振分けシュートのダンパにおいて、その厚さ方向に少なくとも二分割された支持フレームを設け、且つ上記厚さ方向に少なくとも二分割された支持フレームの基端部を上記分岐部に形成される枢支軸に回転自在に枢支すると共に、先端部を自由端として支持フレームを展開自在に重ね合わせ、且つこれら重ね合わされた支持フレームの外側面に耐摩耗性のライナ層を積層すると共に、該ライナ層をそれぞれの支持フレームの裏面部から支持ボルトを介してライナ層の裏側から固定し、且つ支持フレームの先端部にそれぞれ係合させると共にこれを覆う連結部材を着脱自在に設けたことを特徴とする振分けシュートのダンパ。
【発明の詳細な説明】
【０００１】
【発明の属する技術分野】
本発明は、振分けシュートの分岐部に基端部が回動自在に支持され先端部がシュートの開口部を横断すべく延出された振分けシュートのダンパに関するものである。
【０００２】
【従来の技術】
一般に、振分けシュートは上部から投入された荷が、下方に形成された複数のシュートに選択的に振分けられて、荷分けされるようになっている。この振分け作業は、振分けシュートの分岐部に基端部が回動自在に支持され先端部が上方に向かって延びたダンパを、その基端部の枢支軸を中心に図中左右に回動させることによって、シュートの開口部を横断して塞ぎ、他のシュートに荷が振分けされるようになっている。
【０００３】
ところで、上述のようにダンパは、その基端部の枢支軸を中心にして左右に回動するため、その両面に荷が当たることとなる。従って、ダンパの両面に耐摩耗性のライナ層を形成する必要がある。このライナ層はメンテナンスや長年の使用による摩耗のために取り外して交換する必要があるため、取り外し自在にしておかなければならない。そこで、従来はライナ層の表面から皿ボルト等で支持フレームに固定するようになっていた。
【０００４】
【発明が解決しようとする課題】
しかしながら、上述の振分けシュートのダンパにおいては、ライナの表面に皿ボルトの頭部分が露出しているので、荷の落下衝突によってこのボルト頭が潰れてしまい、ダンパからのライナ層の取外しが困難となってしまうという問題があった。
【０００５】
そこで、本発明は上記従来の問題点を解決するために案出されたものであり、その目的は、支持ボルトを潰すことなく、ダンパのライナ層の取外し交換を容易に行うことができる振分けシュートのダンパを提供することにある。
【０００６】
【課題を解決するための手段】
前記課題を解決すべく、本発明は、振分けシュートの分岐部に基端部が回動自在に支持され先端部がシュートの開口部を横断すべく延出された振分けシュートのダンパにおいて、その厚さ方向に少なくとも二分割された支持フレームを設け、且つ上記厚さ方向に少なくとも二分割された支持フレームの基端部を上記分岐部に形成される枢支軸に回転自在に枢支すると共に、先端部を自由端として支持フレームを展開自在に重ね合わせ、且つこれら重ね合わされた支持フレームの外側面に耐摩耗性のライナ層を積層すると共に、このライナ層をそれぞれの支持フレームの裏面部から支持ボルトを介してライナ層の裏側から固定し、且つ支持フレームの先端部にそれぞれ係合させると共にこれを覆う連結部材を着脱自在に設けたものである。
【０００８】
本発明によれば、ダンパの支持フレームを分割して、ライナ層をその裏側から固定するようにしたので、支持ボルトはライナ層の表面に露出しないため支持ボルトが潰れることがなく、ダンパのライナ層の取外し交換を容易に行うことができる。
【０００９】
【発明の実施の形態】
以下、本発明の実施の形態を添付図面に従って説明する。
【００１０】
図１は本発明にかかるダンパの実施の形態を示した側面図、図２は支持フレームとライナ層との支持状態を示した縦断側面図、図３は本発明にかかるダンパの実施の形態を示した正面図、図４は支持フレームと枢支軸との関係を示した斜視図、図５はダンパの使用状態を示した側面図である。
【００１１】
まず、本発明にかかる振分けシュートのダンパの構成について説明する。
【００１２】
図５に示すように、振分けシュート１のダンパ２は、その基端部が振分けシュート１の分岐部３に枢支軸１１を中心に回動自在に支持されており、先端部がシュート５ａ（５ｂ）の開口部６ａ（６ｂ）を横断すべく延出されて形成されている。
【００１３】
特に、本発明にかかるダンパ２は、図１に示すように、その厚さ方向に二分割された支持フレーム７を設け、これら重ね合わされた支持フレーム７の外側面に耐摩耗性のライナ層８を積層すると共に、このライナ層８をそれぞれの支持フレーム７の裏面部から支持ボルト９及びナット１０を介してライナ層８の裏側から固定したことに特徴を有するものである。
【００１４】
上記支持フレーム７は、上記ライナ層８を固定するための鉄板１２と、この鉄板の裏面に所定の間隔で格子状に配置されたスチール製の補強アングル材１４とから主に構成されており、各鉄板１２が外側になり、その内側で補強アングル材１４同士が当接されて、二つの支持フレーム７が重ね合わせられるようになっている。支持フレーム７の各基端部は同一の枢支軸１１に枢支され、先端部は自由端として支持フレームを展開自在に重ね合わせられるようになっており、すなわち、支持フレーム７はこの枢支軸１１を中心にして両側に開閉自在に形成されている。図４に示すように、一方の支持フレーム７ａは、その基端部の幅方向の中央枢支部１５が下方に延出され枢支軸１１を枢支しており、他方の支持フレーム７ｂは、その基端部の幅方向の両端枢支部１６が下方に延出され上記中央枢支部１５を軸長手方向両側から挟むように同一の枢支軸１１を枢支している。すなわち、支持フレーム７は軸を基端部で横向きにした丁番状に形成されている。また、上記鉄板１２には、ライナ層８を固定する支持ボルト９を挿通させるためのボルト穴１７（図２（ｂ）参照）が複数形成されている。
【００１５】
ライナ層８は、図１及び図２に示すように、裏側に向かって延びるスタッドボルト２１（支持ボルト）が所定位置に複数突設されている。また、図３に示すように、ライナ層８は、支持フレーム７の鉄板１２の面に対して、分割されており、その交換作業を行い易い大きさに形成されている。なお、枢支軸１１は、振分けシュート１のケーシング２６に設けられた軸受け２８に支持されており、一端がケーシング２６の外側まで延出しており、この延出部にケーシング２６の外側に設けられたシリンダ（図示せず）に連結されたアーム２７が設けられており、シリンダを伸縮させて枢支軸１１を回転させるようになっている。
【００１６】
図２（ａ）に示すように、これら支持フレーム７及びライナ層８の各先端面を覆うように連結部材である頂部ライナ層２２が設けられ支持ボルト２３を介してそれぞれの支持フレーム７の頂部の各補強アングル材１４に係合固定されている。すなわち、頂部ライナ層２２を取り付けることによって、各支持フレーム７を閉じて重ね合わされた状態で固定するようになっている。頂部ライナ層２２は、断面が略三角形に形成されており、その斜辺部分には、支持ボルト２３が挿入されるボルト穴２４に連通すると共に、支持ボルト２３の頭を保護するための切欠き部２５が形成されている。
【００１７】
次に、本発明にかかる振分けシュートのダンパの作用について説明する。
【００１８】
摩耗したライナ層８を交換する場合には、まず最初に頂部ライナ層２２を取外す。このとき、支持ボルト２３の頭部は、切欠き部２５に収納されて保護されていたため、落下する荷に衝突することなく変形しないので、容易に取外しを行える。
【００１９】
その後、支持フレーム７をその基端部の枢支軸１１を中心にして左右に開き、支持フレーム７の裏側からライナ層８のスタッドボルト２１のナット１０を取り外してライナ層８を取り外すと共に、新たなライナ層８を貼り付けナット１０を締めることによって、ライナ層８の交換を行う。
【００２０】
この作業を繰り返し、分割された所望のライナ層８の交換が終了したなら、支持フレーム７を閉じて重ね合わせて頂部ライナ層２２を取り付けて固定する。
【００２１】
上述のように、支持フレーム７を厚さ方向に二分割して、それぞれの支持フレーム７に、裏側にスタッドボルト２１が突設されたライナ層８を貼り付け裏側からナット１０により固定するようにしたので、荷が衝突するライナ層８の表面部は、耐摩耗材料のみで覆われるので、耐摩耗性が確保され耐久性を向上させることができると共に、従来と異なり支持ボルト９等が露出されることがなく、支持ボルト９であるスタッドボルト２１が破損してしまうこともない。また、開いた支持フレーム７の上に作業員が乗って作業することも可能である。従って、交換作業を支障なく容易で平滑に行うことができる。さらに、耐久性の向上により交換回数を低減させることができる。
【００２２】
また、ライナ層８は分割されて形成されているので、交換作業を行うときのライナ層８の移送等の取り扱いが容易となる。さらに、摩耗の大きい部分或いは破損した部分等、一部分だけを交換することも可能である。
【００２３】
なお、上記実施の形態では、ライナ層８の裏側にスタッドボルト２１を突設するようにしたが、ライナ層８の裏側にボルト穴を形成して、支持フレーム７の裏側から支持ボルトを挿入して固定するようにしてもよい。また、支持部材はボルトに限られることなく、裏側から確実に固定できるものであればよい。
【００２４】
【発明の効果】
以上要するに本発明によれば、支持フレームを厚さ方向に分割して形成して、ライナ層をその裏側から固定するようにしたので、支持ボルトはライナ層の表面に露出しないため支持ボルトが潰れることがなく、ダンパのライナ層の取外し交換を容易に行うことができるという優れた効果を発揮する。
【図面の簡単な説明】
【図１】本発明にかかるダンパの実施の形態を示した側面図である。
【図２】支持フレームとライナ層との支持状態を示した縦断側面図である。
【図３】本発明にかかるダンパの実施の形態を示した正面図である。
【図４】支持フレームと枢支軸との関係を示した斜視図である。
【図５】ダンパの使用状態を示した側面図である。
【符号の説明】
１  振分けシュート
２  ダンパ
３  分岐部
５  シュート
６  開口部
７  支持フレーム
８  ライナ層
９  支持ボルト
１１  枢支軸
２２  頂部ライナ層（連結部材）
【図１】
0003983332.tif 000002
【図２】
0003983332.tif 000003
【図３】
0003983332.tif 000004
【図４】
0003983332.tif 000005
【図５】
0003983332.tif 000006